(57)【要約】【課題】ダビングのための操作を容易にすることを課題としている。【解決手段】１つのダビングキー操作に対応してダビング指令を認識する手段と、前記ダビング指令によりダビング元の第１の録画機器を自動で決定するとともに、ダビング先の第２の録画機器も自動で決定する手段と、前記第１の録画機器に搭載されている第１の記録媒体に記録されているタイトルを前記第２の録画機器に搭載されている第２の記録媒体にダビングするに当たり、前記第１と第２の録画機器を同期させてダビング開始させる手段と、を有したものである。【選択図】図１
2006323891.tif 000002
【特許請求の範囲】
【請求項１】
動作を統括する制御部と、複数の記録装置と再生装置を接続した記録再生制御装置において、
前記制御部の動作により、１つのダビングキー操作に対応してダビング指令を認識する手段と、
前記ダビング指令によりダビング元の再生装置を自動で決定するとともに、ダビング先の記録装置も自動で決定する手段と、
前記再生装置に搭載されている第１の記録媒体に記録されているタイトルを前記記録装置に搭載されている第２の記録媒体にダビングするに当たり、前記再生装置と記録装置を同期させてダビング開始させる手段と、
を有したことを特徴とするダビング機能を有する記録再生制御装置。
【請求項２】
ダビングのための最初の操作入力があったときに、前記制御部は、前記第１の記録媒体に録画されている複数のタイトルのインデックス画像をならべて表示器に出力する手段を含むことを特徴とする請求項１記載の記録再生制御装置。
【請求項３】
前記最初の操作入力は、前記ダビングキーの第１回目の操作により出力されることを特徴とする請求項１記載の記録再生制御装置。
【請求項４】
前記最初の操作入力が有ったときに、前記制御部は、前記第１の記録媒体に記録されている複数のタイトルのインデックス画像を表示器に出力する制御手段を含むことを特徴とする請求項１記載の記録再生制御装置。
【請求項５】
前記ダビング開始させる手段は、前記ダビングキーの第２回目の操作入力が有ったときに動作開始することを特徴とする請求項３記載の記録再生制御装置。
【請求項６】
動作を統括する制御部と、複数の再生装置、記録装置を接続した装置の記録再生制御方法において、
前記制御部の動作により、１つのダビングキー操作に対応してダビング指令を認識し、
前記ダビング指令によりダビング元の再生装置を自動で決定するとともに、ダビング先の記録装置も自動で決定し、
前記再生装置に搭載されている第１の記録媒体に記録されているタイトルを前記記録装置に搭載されている第２の記録媒体にダビングするに当たり、前記再生装置と記録装置を同期させてダビング開始させる、
ことを特徴とするダビング機能を有する記録再生制御方法。
【請求項７】
ダビングのための最初の操作入力があったときに、前記制御部は、前記第１の記録媒体に録画されている複数のタイトルのインデックス画像をならべて表示器に出力することを特徴とする請求項６記載の記録再生制御方法。
【請求項８】
前記最初の操作入力は、前記ダビングキーの第１回目の操作により出力される
ことを特徴とする請求項６記載の記録再生制御方法。
【請求項９】
前記最初の操作入力が有ったときに、前記制御部は、前記第１の記録媒体に記録されている複数のタイトルのインデックス画像を表示器に出力することを特徴とする請求項６記載の記録再生制御方法。
【請求項１０】
前記ダビング開始は、前記ダビングキーの第２回目の操作入力が有ったときに開始することを特徴とする請求項８記載の記録再生制御方法。
【発明の詳細な説明】
【技術分野】
【０００１】
この発明は、ダビング機能を有する記録再生制御装置及び制御方法に関するものであり、ダビングを行うときの操作を容易にしたものである。
【背景技術】
【０００２】
近年の画像記録再生装置においては、記憶媒体の大容量化が進み、また記録媒体として種類の異なる複数の記録媒体を装填することができるようになった。また種類の異なる複数の記録装置がネットワークを介して外部接続できるようになった。
【０００３】
このために、画像記録再生装置の操作は、一層煩雑となり、メニュー画面を見ながら所望の操作項目にたどりつくまでに時間がかかり、また操作が煩わしくなっている。メニュー画面を得られても、ユーザは、表示された項目名がどのような意味を有するのかわからず、取り扱い説明書を開いて確認することもある。また、メニュー画面での各種の項目は、左右、上下に統一性なく並んでいるために、カーソルを移動制御する際のリモコン操作が煩雑である。
【０００４】
例えば、第１の記録媒体から第２の記録媒体へダビングを行う場合、ダビング元の再生機器を設定し、つぎにダビング元のタイトルを選択し、ダビング先の記録機器を設定する。次に、タイトル先頭の録画ミスを防ぐために、まずダビング先の記録機器を録画スタートさせ、次にダビング元の再生機器を再生スタートする操作が必要である。（例えば特許文献１）。
【特許文献１】特開２００３−１０９３０７公報
【発明の開示】
【発明が解決しようとする課題】
【０００５】
上記したように従来の画像記録再生装置ではダビングを行うのに煩雑な操作が必要であり、使い勝手の向上が望まれている。また先にダビング先の記録機器を録画状態にスタートさせるために、ダビングした番組（動画像）の先頭で一定時間黒画面が記録されてしまうことがある。つまり、ダビング先の記録機器が録画したーとした後、ダビング元の再生機器が再生スタートするまでのロス時間があるからである。このロス時間はユーザ（お年寄りから若年まで）によって、まちまちであり改善が要望されている。
【０００６】
そこでこの発明の目的は、ダビングしようとするタイトルを選択した後は、１つのキーを操作することで、ダビング先が自動的に決定されて、自動ダビングを行うことができるダビング機能を有する記録再生制御装置及び制御方法を提供することにある。
【課題を解決するための手段】
【０００７】
この発明は上記の目的を達成するために、動作を統括する制御部と、複数の記録装置と再生装置を接続した記録再生制御装置において、前記制御部の動作により、１つのダビングキー操作に対応してダビング指令を認識する手段と、前記ダビング指令によりダビング元の再生装置を自動で決定するとともに、ダビング先の記録装置も自動で決定する手段と、前記再生装置に搭載されている第１の記録媒体に記録されているタイトルを前記記録装置に搭載されている第２の記録媒体にダビングするに当たり、前記再生装置と記録装置を同期させてダビング開始させる手段と、を有する。
【発明の効果】
【０００８】
上記の手段によると、ユーザは、ダビング先の記録装置の設定を行う必要は無く、ダビングする情報（タイトル）を選択画面から選択した後は、１つの操作キーを操作すればよく、ダビング処理が容易にできる。また、１つの操作キーで制御されるダビング元、ダビング先の記録装置が予め特定されており、ユーザは、事前に特別な操作を行うことなく、ダビングキーを操作すればよい。
【発明を実施するための最良の形態】
【０００９】
以下、図面を参照しながら、この発明の実施の形態を説明する。図１にはこの発明の一実施の形態に係る基本的な構成を示している。この発明に係る記録再生装置では、ダビング元選択装置Ｂ１により選択される再生装置Ｂ２（ＤＶＤ記録再生装置），ハードディスク再生装置Ｂ３、ビデオテープレコーダ（ＶＴＲ：再生）Ｂ４が存在する。またダビング先選択装置Ｃ１により選択される記録装置Ｃ２（ＤＶＤ記録再生装置），ハードディスク記録装置Ｃ３、ビデオテープレコーダ（ＶＴＲ：記録）Ｃ４が存在する。
【００１０】
Ｄ１は、接続部であり、選択されたダビング元の装置と、選択されたダビング先の装置とを接続する。この接続部Ｄ１は、ダビング元の装置で再生された信号をデコードするデコーダ、復号された信号をエンコードしてダビング先の装置に送るエンコーダを含む。また接続部では、デコード側の信号をエンコード側の信号に適合させるための手段、例えばビットレート変換器などを含む。
【００１１】
Ｅ１は、モニタとしての表示器であり、再生中の信号を表示する。上記のダビング元の装置Ｂ２又はＢ３又はＢ４と、ダビング先の装置Ｃ２又はＣ３又はＣ４とは、ダビング開始・終了制御部Ｆ１により同期して再生と録画動作が設定される。厳密には、再生側の装置が再生状態とされ、再生側からの信号が、デコーダでデコードされ、このデコード信号が、記録側のデコーダに供給されたときに記録側の装置が録画状態にされる。ここで例えば、上記の装置Ｂ２，Ｃ２は、同一装置であり、装置Ｂ３，Ｃ３は、同一装置であり、装置Ｂ４，Ｃ４は、同一装置である。
【００１２】
上記のダビング動作は、ダビングしたいタイトル（或いは番組）が、選択された後、ダビングスイッチ１１Ｇ１が押されることにより、自動的に開始する。このとき、ユーザは、ダビング元の装置、ダビング先の装置を何ら選択する必要が無く実行される。これは、この実施の形態の場合、予めダビング元の装置とダビング先の装置とが特定されているからである。ダビングスイッチＧ１が操作されると、その操作入力をダビングライン設定装置Ｈ１が検出し、ダビング元選択装置Ｂ１，ダビング先選択装置Ｃ１、ダビング開始・終了制御部Ｆ１の動作をスタートさせる。ダビングスイッチ１１Ｇ１は、例えばリモートコントローラに取り付けられている。
【００１３】
例えば第１回目にダビングスイッチ１１Ｇ１が押されると、図２に示すように、予め決まっている所定のダビング先の記録再生装置で保存されているタイトルのタイトル名或いはインデックス画像が表示される。図の例であると、タイトル１−タイトル８の例えばインデックス画像が表示された例を示している。
【００１４】
ここで、リモートコントローラのカーソルキーを操作して、所望のタイトルを選択する。図の例ではタイトル３のインデックス画像の縁が太線であり、このタイトル３が設定された様子を示している。
【００１５】
またこのとき、コメントとして、ダビング元とダビング先の記録媒体が表示されてもよい。図の例であると、ＨＤＤ→ＤＶＤが表示されている。このダビング元とダビング先は、機種によって、基本的なデフォルトが固定されている。さらに元イがダビング元のタイトルが選択された状態で、「ダビングするタイトルが、よろしければもう一度スイッチを押してください。」と言うふうにコメントが現れる。
【００１６】
ユーザは、選択したタイトルが、ダビングを希望するタイトルであれば、スイッチＧ１を押すことで、自動的にダビング処理が開始される。
【００１７】
図３には、リモートコントローラ１１の例を示している。リモートコントローラ１１には、各種のキーが設けられているが、本発明の説明に関連するキーについてのみ説明することにする。中央上部に配置されているキーは、左右上下にカーソルを移動させるためのカーソルキー１１ａ，１１ｂ，１１ｃ，１１ｄであり、このカーソルキーの中央には、決定キー１１ｅが設けられている。また１１ｆは、メニューキーである。さらに１１Ｇ１は、上記したようにダビング用のキーである。
【００１８】
図４は、さらに別の実施の形態である。上記の実施の形態では、ダビング用のキーはキー１１ｇが１個であり、ダビング元、ダビング先の装置は、例えば装置（ＨＤＤ）Ｂ２、装置（ＤＶＤ）Ｃ１のように固定であった。しかし、ダビング元とダビング先の装置の組み合わせを複数得られるようにしてもよい。操作回数はユーザの負担を軽減するために、操作回数は、できるだけ少なくなるように考慮されている。
【００１９】
図４に示すように、この例ではダビングスイッチ１１Ｇ１，１１Ｇ２，１１Ｇ３，１１Ｇ４が設けられている。１１Ｇ１は、上記したように装置Ｂ３から装置Ｃ２へのダビングが特定されている。また、スイッチ１１Ｇ２は、装置Ｂ２から装置Ｃ３へのダビングが特定されている。スイッチ１１Ｇ３は、装置Ｂ３から装置Ｃ３へのダビングが特定されている。スイッチ１１Ｇ４は、装置Ｂ４から装置Ｃ３へのダビングが特定されている。ここで例えば、上記の装置Ｂ２，Ｃ２は、同一装置であり、装置Ｂ３，Ｃ３は、同一装置であり、装置Ｂ４，Ｃ４は、同一装置である。
【００２０】
図５には、この発明が適用された記録再生装置２０の全体的な構成例を示している。リモートコントローラ１１からの操作信号は、リモートコントロール信号受信部３０にて受信される。受信された信号は、バス３１を介して、制御部２１に取り込まれて解析される。制御部２１は、装置の全体を統括するもので、図１で示したダビングライン設定装置Ｈ１，ダビング開始・終了制御部Ｆ１、ダビング元選択装置Ｂ１，ダビング先選択装置Ｃ１を含む。バス３１には、リードオンリーメモリ（ＲＯＭ）が接続されており、ここでは基本プログラム、各種パラメータなどを保存している。またバス３１には、ランダムアクセスメモリ（ＲＡＭ）が接続されており、データ読取時、出力時、処理時などのデータ処理工程において、一時的なデータ保存部として利用される。
【００２１】
バス３１には操作部２４も接続されている。操作部２４は、本体に設けられた操作子を含む。操作子に対して行われたアクションに対して、制御部２１が応答して、操作内容に対応した動作モードが設定される。バス３１にはチューナ部２５も接続されている。チューナ部２５は、選局操作に応じて、放送チャンネルを選局し、所望の番組を受信することができる。バス３１に接続された信号処理部２６は、番組をエンコードするエンコーダ・エンコードした信号をデコードするデコーダなどを含む。またＤＶＤ規格に応じたエンコード・デコード処理部も含む。したがって、この信号処理部２６は、先に説明した接続部Ｄ１も含む。又バス３１には、ハードディスクドライバ２７、メディアドライバ２８、アナログＩ／Ｆ２９が接続されている。ハードディスクドライバ２７は、先のハードディスク再生装置Ｂ３，Ｃ３に対応し、メディアドライバ２８は先の再生装置Ｂ２，Ｃ２に対応する。アナログＩ／Ｆ２９は、外部接続端子を介して例えば先のＶＴＲ（再生）Ｂ４，Ｃ４に接続される。
【００２２】
信号処理部２６で処理されたデータは、ハードディスクドライバ２７で駆動されるハードディスクに記録することができる。また録画先を指定することで、信号処理部２６で処理されたデータは、メディアドライバ２８を介して、ＤＶＤに記録することも可能である。さらにまた、再生時には、ハードディスク或いはＤＶＤから読み取られたデータは、信号処理部２６でデコードされ、ベースバンドの復号信号（映像信号、音声信号などを含む）として、表示器Ｅ１に供給される。
【００２３】
この装置において、ダビング処理が行われるときは、先の図１の場合と同様な操作により、選択したタイトルが、ＨＤＤからＤＶＤへダビングされる。或いは、先の図４の場合と同様に、操作したダビングスイッチ１１Ｇ１−１１Ｇ４に応じて、録画（ダビング）元、録画（ダビング）先が設定される。
【００２４】
図６（６Ａ）、（６Ｂ）、（６Ｃ）は、さらにこの発明の装置に装備されている機能を説明するために示した図である。ＤＶＤにあっては、ＤＶＤ−Ｒ，ＤＶＤ−ＲＷ，ＤＶＤ−ＲＡＭの規格がそれぞれ定められている。したがって機種によっては、録画できないＤＶＤの規格が存在することも有り得る。このような場合、ＤＶＤの記録装置Ｃ２に規格で対応していないディスクが装填されているにも係わらず、ダビングスイッチを操作すると、ダビングに失敗することがある。そこで、この装置では、規格上で対応していないディスクが、ＤＶＤ記録装置Ｃ２に搭載されていた場合には、警告を発するように構成されている。
【００２５】
図６（６Ｃ）の場合には、内蔵のハードディスク装置側から、内蔵のハードディスク装置側へのダビングの例（同一のハードディスクの異なる領域にダビングを行う例）である。この場合は、警告は発生しない。図６（６Ｂ）の例は、内蔵のハードディスク再生装置Ｂ３側からＤＶＤ記録装置Ｃ２側へダビングが行われるときの例である。この場合、例えばＤＶＤ−ＲＡＭについて、規格が適合していない場合には、警告が発せられる。ディスクの種類は、例えば装填されたディスクのディスク識別情報が読み取られて、制御部において判定される。図６（６Ｃ）の場合は、ダビング元がＤＶＤ再生装置Ｂ２で、録画先が内蔵のハードディスク記録装置Ｃ３の場合を示している。この場合も、使用されるディスクとしてＤＶＤ−Ｒ，ＤＶＤ−ＲＷ，ＤＶＤ−ＲＡＭが存在する。ここで例えばＤＶＤ−ＲＡＭについて、規格が適合していない場合には、警告が発せられる。警告の形態としては、音声による案内、又は画面上でコメントによる案内が可能である。
【００２６】
図７はこの発明が適用された記録再生装置の全体構成を示す図である。この記録再生装置は、２種類のディスクドライブ部を有する。光ディスク１０１は、ビデオファイルを構築できる情報記録媒体である。ディスクドライブ部１０２は、光ディスク１０１を回転駆動し、情報の読み書きを実行する。１０４はハードディスクを駆動するハードディスクドライブ（ＨＤＤ）部である。
【００２７】
データプロセッサ部１０３は、ディスクドライブ部１０２及びハードディスクドライブ部１０４に記録データを供給することができ、また、再生された信号を受け取ることができる。ディスクドライブ部１０２は、光ディスク１０１に対する回転制御系、レーザ駆動系、光学系などを有する。
【００２８】
データプロセッサ部１０３は、記録または再生単位のデータを取り扱うもので、バッファ回路、変調・復調回路、エラー訂正部などを含む。
【００２９】
この記録再生装置は、録画側を構成するエンコーダ部２００と、再生側を構成するデコーダ部３００と、装置本体の動作を統括して制御するマイクロコンピュータブロック４００とを主たる構成要素としている。エンコーダ部２００は、入力されたアナログビデオ信号やアナログオーディオ信号をデジタル化するビデオ用及びオーディオ用のアナログデジタルコンバータと、ビデオエンコーダと、オーディオエンコーダとを有する。さらに、映画の字幕などを圧縮する副映像エンコーダも含む。
【００３０】
エンコーダ部２００の出力は、バッファメモリ２０３を含むフォーマッタ２０４にて所定のＤＶＤ（ＤＶＤ−Ｒ，ＤＶＤ−ＲＷ，ＤＶＤ−ＲＡＭ、など）フォーマットに変換され、先のデータプロセッサ部１０３に供給される。エンコーダ部２００には、ＡＶ入力部２１１から外部アナログビデオ信号と外部アナログオーディオ信号、あるいはＴＶチューナ２１２からアナログビデオ信号とアナログオーディオ信号が入力される。なお、エンコーダ部２００は、圧縮されたデジタルビデオ信号やデジタルオーディオ信号が直接入力されるときは、圧縮デジタルビデオ信号やデジタルオーディオ信号を直接フォーマッタ２０４に供給することもできる。またエンコーダ部２００は、アナログデジタル変換されたデジタルビデオ信号及びオーディオ信号を、ビデオミキシング部３０５及びオーディオセレクタ３０１にそれぞれ直接供給することもできる。
【００３１】
エンコーダ部２００に含まれるビデオエンコーダでは、デジタルビデオ信号はＭＰＥＧ２またはＭＰＥＧ１規格に基づいた可変ビットレートで圧縮されたデジタルビデオ信号に変換される。オーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００３２】
副映像信号がＡＶ入力部２１１から入力された場合（例えば副映像信号の独立出力端子付ＤＶＤビデオプレーヤからの信号など）、あるいはこのようなデータ構成のＤＶＤビデオ信号が放送されてそれがＴＶチューナ２１２で受信された場合は、ＤＶＤビデオ信号中の副映像信号が副映像エンコーダでエンコード（ランレングス符号化）されて副映像のビットマップとなる。
【００３３】
エンコードされたデジタルビデオ信号、デジタルオーディオ信号、副映像データは、フォーマッタ２０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００３４】
ここでこの装置は、フォーマッタ２０４でフォーマット化された情報（ビデオ、オーディオ、副映像データなどのパック）及び作成された管理情報を、データプロセッサ部１０３を介してハードディスクドライブ部１０４あるいはデータディスクドライブ部１０２に供給し、ハードディスクあるいは光ディスク１０１に記録することができる。またハードディスクあるいは光ディスクに記録された情報を、データプロセッサ部１０３、ディスクドライブ部１０２を介して光ディスク１０１あるいはハードディスクに記録することもできる。
【００３５】
またハードディスクあるいは光ディスク１０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、このデータ単位で信号処理することで編集を容易にしているからである。
【００３６】
マイクロコンピュータブロック４００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００３７】
マイクロコンピュータブロック４００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００３８】
またマイクロコンピュータブロック４００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００３９】
ＭＰＵの実行結果のうち、ユーザに通知すべき内容は、映像データ記録再生装置の表示部４０２に表示されるか、またはモニターディスプレイにＯＳＤ（オンスクリーンディスプレイ）表示される。またマイクロコンピュータブロック４００は、この装置を操作するための操作信号を与えるキー入力部４０１を有する。マイクロコンピュータブロック４００が、ディスクドライブ部１０２、ハードディスクドライブ部１０４、データプロセッサ部１０３、エンコーダ部２００及び／またはデコーダ部３００などを制御するタイミングは、ＳＴＣ（システムタイムクロック）４０３からの時間データに基づいて実行することができる。
【００４０】
録画や再生の動作は、通常はＳＴＣ４０３からのタイムクロックに同期して実行されるが、それ以外の処理はＳＴＣ４０３とは独立したタイミングで実行されてもよい。
【００４１】
デコーダ部３００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００４２】
デコーダ部３００の出力ビデオ信号は、ビデオミキシング部３０５に入力される。ビデオミキシング部３０５では、テキストデータの合成が行われる。またビデオミキシング部３０５には、ＴＶチューナ２１２やＡ／Ｖ入力部２１１からの信号を直接取り込むラインもまた接続されている。ビデオミキシング部３０５には、バッファとして用いるフレームメモリ３０６が接続されている。ビデオミキシング部３０５の出力がアナログ出力の場合はＩ／Ｆ（インターフェース）３０７を介して外部出力され、デジタル出力の場合はデジタルアナログ変換器３０８を介して外部へ出力される。
【００４３】
また、ビデオミキシング部３０５は、ＧＵＩとしての案内画面を作るための画像信号を出力することができる。この画像信号は、マイクロコンピュータブロック４００内の案内画面処理制御部４０ｄにより制御されている。さらに、操作入力判定部４０ａ，録画予約制御部４０ｂ、編集処理制御部４０ｃ、案内画面処理制御部４０ｄなども設けられており、制御部４００は、装置の全体を統括することができる。
【００４４】
またマイクロコンピュータブロック４００では、上記したダビング処理制御部４０ｅを含む。このダビング処理制御部４０ｅは、１つのダビングキー操作に対応してダビング指令を認識する認識部、ダビング指令によりダビング元の第１の録画機器を自動で決定するとともに、ダビング先の第２の録画機器も自動で決定する決定部、第１の録画機器に搭載されている第１の記録媒体に記録されているタイトルを前記第２の録画機器に搭載されている第２の記録媒体にダビングするに当たり、前記第１と第２の録画機器を同期させてダビング開始させる同期制御部を含む。さらに、ダビングのための最初の操作入力があったときに、制御部は、第１の記録媒体に録画されている複数のタイトルのインデックス画像をならべて表示器に出力する出力制御部を含む。さらにまた最初の操作入力は、ダビングキーの第１回目の操作により出力される。
【００４５】
また、図５と図７の対応関係において、チューナ部２５とチューナ部２１２は対応関係にある。また信号処理部Ｄ１とエンコーダ部２００、デコーダ部３００とが対応関係にある。さらに、制御部２１とマイクロコンピュータブロック４００が対応関係にある。
【００４６】
図７において、デコーダ部３００の出力オーディオ信号は、セレクタ３０１を介してデジタルアナログ変換器３０２でアナログ変換され外部に出力される。セレクタ３０１は、マイクロコンピュータブロック４００からのセレクト信号により制御される。これによりセレクタ３０１は、ＴＶチューナ２１２やＡ／Ｖ入力部２１１からのデジタル信号を直接モニタする時、エンコーダ部２００をスルーした信号を直接選択することも可能である。
【００４７】
なお、エンコーダ部２００のフォーマッタでは、録画中、各切り分け情報を作成し、定期的にマイクロコンピュータブロック４００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００４８】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４９】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００５０】
データプロセッサ部１０３は、エンコーダ部２００のフォーマッタからＶＯＢＵ単位のデータを受け取り、ＣＤＡ単位のデータをディスクドライブ部１０２あるいはハードディスクドライブ部１０４に供給している。またマイクロコンピュータブロック４００のＭＰＵは、記録したデータを再生するのに必要な管理情報を作成し、データ記録終了のコマンドを認識すると、作成した管理情報をデータプロセッサ部１０３に送る。これにより、管理情報がディスクに記録される。従って、エンコードが行われているとき、エンコーダ部２００からマイクロコンピュータブロック４００のＭＰＵは、データ単位の情報（切り分け情報など）を受け取る。また、マイクロコンピュータブロック４００のＭＰＵは、記録開始時には光ディスク及びハードディスクから読み取った管理情報（ファイルシステム）を認識し、各ディスクの未記録エリアを認識し、データ上の記録エリアをデータプロセッサ部１０３を介してディスクに設定している。
【００５１】
図８は、この発明の装置の動作例を説明するために示したフローチャートである。ダビングを行うための最初の操作キーからの入力があると、ダビングの準備に移行する（ステップＳＺ１）。最初の操作入力は、先に説明したように第１回目のダビングキーからの操作入力であってもよいし、その他、特にダビングのために定めた所定のキーからの操作入力であってもよい。ダビング処理制御部４０ｅが上記の操作入力を検出すると、次にダビング元の所定の録画装置の記録媒体に記録されている複数のタイトルのインデックス画像を表示器Ｅ１（モニタ３０９）に出力させる。
【００５２】
ここでもし、図６で説明したように、録画装置が対応できない規格のＤＶＤが装填されていた場合は、警告が表示される（ステップＳＺ３）。対応できるディスクの場合には、タイトルが選択されるまで待つことになる。タイトルの選択は、リモートコントローラ１１のカーソルキーを操作し、所望のタイトルにカーソルを合わせ、次に決定キーを操作すればよい。
【００５３】
次に先に説明したダビングキー１１Ｇ１を操作することで、自動的に録画先の録画装置へデータが転送される。このときダビングの開始はダビング元の再生動作と、ダビング先の録画動作が同期するように制御される（ステップＳＺ６）。ダビングが実行されている途中に、タイトル名、ダビング元、ダビング先の装置が画面に表示される（ステップＳＺ７）。ダビングが終了すると、ダビング元及びダビング先の装置が同期して停止或いは待機状態に設定される（ステップＳＺ８，ＳＺ９）。上記の構成により、操作が極めて簡単に得られ、かつ、ダビングした動画像でスタート時及び終了時に黒画面が現れるような不具合がなくなる。
【００５４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５５】
【図１】この発明の一実施の形態を説明するために示した信号処理装置の全体的構成例を示す図である。
【図２】図１の表示器にダビング元のタイトルが表示された例を示す説明図である。
【図３】この発明で用いられるリモートコントローラの概観を示す説明図である。
【図４】この発明の装置の他の実施の形態における基本構成例を示す図である。
【図５】この発明の装置のさらに他の実施の形態における基本例を示す図である。
【図６】この発明の装置の各種の動作状態を示す説明図である。
【図７】この発明の装置のさらに他の実施の形態における基本例を示す図である。
【図８】この発明の装置の一実施の形態における基本動作例を説明するために示したフローチャートである。
【符号の説明】
【００５６】
Ｂ１…ダビング元選択装置、Ｂ２…録画装置、Ｂ３…ハードディスク装置、Ｂ４…ＶＴＲ、Ｃ１…ダビング先選択装置、Ｃ２…録画装置、Ｃ３…ハードディスク装置、Ｃ４…ＶＴＲ、Ｄ１…接続部（デコード・エンコード部）、Ｅ１…表示器、Ｆ１…ダビング開始・終了制御部、１１Ｇ１−１１Ｇ４…ダビングスイッチ、Ｈ１…ダビングライン設定装置。
【図１】
2006323891.tif 000003
【図２】
2006323891.tif 000004
【図３】
2006323891.tif 000005
【図４】
2006323891.tif 000006
【図５】
2006323891.tif 000007
【図６】
2006323891.tif 000008
【図７】
2006323891.tif 000009
【図８】
2006323891.tif 000010